(57)【特許請求の範囲】
【請求項１】
無線信号によるデータを受信してこのデータに基づく表示を行なう表示手段を備えた受信装置において、
動画表示される内容を記憶する動画表示内容記憶手段と、
音声情報を記憶する音声情報記憶手段と、
指定コードと対応させて、上記動画表示内容記憶手段に記憶されている動画表示される内容、上記音声情報記憶手段に記憶されている音声情報のアドレス、及び、上記動画表示される内容が上記表示手段に表示されているときの上記音声情報の出力タイミングを夫々対応付けて記憶する記憶手段と、
音声情報を出力する出力手段と、
上記受信されたデータより指定コードを検出する検出手段と、
この検出手段により検出された指定コードに基づいて上記記憶手段より対応する動画表示される内容、音声情報のアドレス、及び、出力タイミングを読出し、読出した動画表示される内容を上記表示手段に表示させるとともに、読出した音声情報のアドレスに基づいて上記音声情報記憶手段より対応する音声情報を読出して、読出された出力タイミングに基づいて上記出力手段より出力させる制御手段と
を具備したことを特徴とする受信装置。
【請求項２】
上記動画表示内容記憶手段は、動画表示される内容として複数のイラストからなる動画パターンを記憶し、上記制御手段は、読み出した動画パターンを順次切換えて上記表示手段に表示させることを特徴とする請求項１記載の受信装置。
【請求項３】
無線信号によりデータを受信する受信ステップと、
この受信ステップにて受信されたデータより指定コードを検出する検出ステップと、
この検出ステップにて検出された指定コードに基づいて、予め動画と音声情報とこの音声情報の出力タイミングとを対応付けて記憶したメモリより、対応する動画と音声情報と出力タイミングとを読出す読出しステップと、
この読出しステップにて読出された動画を表示部に表示するとともに、読出された音声情報を、読出された出力タイミングに基づいて出力部に出力させる制御ステップと
からなることを特徴とする着信報知方法。
【発明の詳細な説明】
【０００１】
【産業上の利用分野】
本発明は、メッセージとしてイラスト情報も伝送可能にした受信装置及び着信報知方法に関する。
【０００２】
【従来の技術】
最近、通信システムとして、加入者が携帯するページング受信機に対し一般電話機より交換局を介して呼出番号とともに簡単なメッセージを無線伝送することにより、必要とする情報を知らせるようにしたページングサービスが運用されている。
しかして、従来、このようなページングサービスでの情報サービスは、数字から構成されるメッセージを伝送するものが殆どであった。
【０００３】
【発明が解決しようとする課題】
ところが、情報メッセージとして数字列を伝送するものでは、伝送できる字数が限られているため、この限られた字数の範囲で相手に十分の気持ちを伝えることが難しいという問題点があった。
【０００４】
そこで、最近になって、イラスト情報をも伝送できるようにしたものが考えられている。しかし、このようにしたものは、予め与えられたイラストを受信機側の表示部でただ単に表示するのみであり、相手に気持ちを伝えるのに必要とする表現力に欠けるものであった。
【０００５】
本発明は上記のような実情に鑑みてなされたもので、その目的とするところは、情報メッセージに音声情報を付加することで表現力に富んだメッセージを出力することが可能な受信装置及び着信報知方法を提供することにある。
【０００６】
【課題を解決するための手段】
すなわち本発明は、
（１）  無線信号によるデータを受信してこのデータに基づく表示を行なう表示手段を備えた受信装置において、動画表示される内容を記憶する動画表示内容記憶手段と、音声情報を記憶する音声情報記憶手段と、指定コードと対応させて、上記動画表示内容記憶手段に記憶されている動画表示される内容、上記音声情報記憶手段に記憶されている音声情報のアドレス、及び、上記動画表示される内容が上記表示手段に表示されているときの上記音声情報の出力タイミングを夫々対応付けて記憶する記憶手段と、音声情報を出力する出力手段と、上記受信されたデータより指定コードを検出する検出手段と、この検出手段により検出された指定コードに基づいて上記記憶手段より対応する動画表示される内容、音声情報のアドレス、及び、出力タイミングを読出し、読出した動画表示される内容を上記表示手段に表示させるとともに、読出した音声情報のアドレスに基づいて上記音声情報記憶手段より対応する音声情報を読出して、読出された出力タイミングに基づいて上記出力手段より出力させる制御手段とを備えるようにしたものである。
（２）  上記（１）項において、上記動画表示内容記憶手段は、動画表示される内容として複数のイラストからなる動画パターンを記憶し、上記制御手段は、読み出した動画パターンを順次切換えて上記表示手段に表示させるようにしたものである。
（３）  無線信号によりデータを受信する受信ステップと、この受信ステップにて受信されたデータより指定コードを検出する検出ステップと、この検出ステップにて検出された指定コードに基づいて、予め動画と音声情報とこの音声情報の出力タイミングとを対応付けて記憶したメモリより、対応する動画と音声情報と出力タイミングとを読出す読出しステップと、この読出しステップにて読出された動画を表示部に表示するとともに、読出された音声情報を、読出された出力タイミングに基づいて出力部に出力させる制御ステップとを有するようにしたものである。
【０００７】
上記（１）項に示した記載によれば、無線信号により受信した指定コードに基づいて動画表示される内容を表示させる際、この動画表示される内容に対応付けられて記憶されている音声情報のアドレスと音声情報の出力タイミングに基づいて、音声情報の出力を制御するようにしたので、受信メッセージをより表現力に富んだものにして受取ることができる。
上記（２）項に示した記載によれば、動画表示される内容として、複数のイラストからなる動画パターンを記憶し、これらを読出して順次切換えて表示させることで動画表示を行わしめるため、比較的簡単な手法で記憶手段の容量を抑えながら動画表示を実現できる。
上記（３）項に示した記載によれば、無線信号により受信した指定コードに基づいて動画を表示させる際、メモリより、対応する音声情報と出力タイミングとを読出し、読出された動画を表示するとともに、読出された出力タイミングに基づいて音声情報を出力させるようにしたので、受信メッセージをより表現力に富んだものにして受取ることができる。
【０００８】
上記（２）項に示した記載によれば、上記（１）項の作用に加えて、複数のイラストを切換表示させる際、その切換タイミングに対応して音声を出力させるようにしたので、音声の出力タイミングにより受信メッセージの表現力をより高めることができる。
【０００９】
【実施例】
以下本発明をページングサービスに適用されるペ−ジング受信機に適用した場合の一実施例について図面を参照して説明する。
図１はその外観構成を示すもので、ページング受信機１は、キー入力部２と表示部３をヒンジ部４を介して連結するとともに、これらを２つ折り可能な構成にしている。
【００１０】
キー入力部２は、各種の操作用キーとして、数字キー２ａ、セットキー２ｂ、セレクトキー２ｃ、モードキー２ｄを有している。ここで数字キー２ａは、電話機のダイヤルキーに対応して「１」〜「０」キーの他に、「＊」キー、「＃」キーを有し、これらキーにより入力データを指示するようにしている。セットキー２ｂは、各種モードにおいて設定操作を行なう際にその決定を指示するものである。セレクトキー２ｃは、各モードにおいて選択操作を行なうものである。そして、モードキー２ｄはその操作回数によって送信メッセージ作成モード、時刻設定モード、鳴音切換モードなどを選択できるようになっている。
【００１１】
表示部３は、液晶表示パネルからなるメッセージ表示部３ａを有しており、ここでは伝言メッセージや図中に示す如く人間の顔のイラストからなる似顔絵メッセージを表示するセグメント等で構成される。なお、表示部３のメッセージ表示部３ａは表示手段として別の表示素子を用いることもでき、例えばＥＬディスプレイ、プラズマディスプレイなどを用いることも可能である。そして、似顔絵メッセージとして表示される人間の顔は、ドットマトリクス表示部で表示することも可能であり、その場合、似顔絵メッセージは、各パーツ毎にドットパターンで表示される。
【００１２】
また表示部３には、上記メッセージ表示部３ａとは別に、電源投入スイッチ３ｂ、リセットスイッチ３ｃ、スピーカ３ｄが設けられる。電源投入スイッチ３ｂ及びリセットスイッチ３ｃは共に表示部３の側面に設けられ、キー入力部２と表示部３とを２つ折りにした状態でも操作可能となるものである。スピーカ３ｄは、その開口部が上記電源投入スイッチ３ｂ及びリセットスイッチ３ｃと同列状の表示部３の側面と、その近傍の表示部３の正面でメッセージ表示部３ａの同一面上の２箇所に設けられるもので、キー入力部２と表示部３とを２つ折りにした状態でもその出力音声が若干聞こえ、キー入力部２と表示部３とを開いた図示の状態ではその出力音声が充分に聞こえるようになっている。
【００１３】
図２は上記ページング受信機１に設けられる回路の概略構成を示すもので、図において１１はアンテナであり、このアンテナ１１はＲＦ受信部１２に接続し、このＲＦ受信部１２をデコーダ部１３を介してＣＰＵ１４に接続している。ＲＦ受信部１２は、アンテナ１１で受信した受信データを復調する。
【００１４】
上記デコーダ部１３は、ＩＤ−ＲＯＭ１５を接続しており、このＩＤ−ＲＯＭ１５は当該ページング受信機１に個別に割当てられたＩＤコード、詳細にはフレームデータやアドレスデータ等を記憶したもので、電源投入のタイミングでこのＩＤコードをデコーダ部１３に与えるようにしている。デコーダ部１３は、ＩＤ−ＲＯＭ１５より取込んだＩＤコードに基づいてＲＦ受信部１２を間欠駆動するとともに、ＲＦ受信部１２で復調した呼出信号を解読し、これがＩＤコードに一致したと判断すると、一致検出信号および続いて受信されるメッセージデータをＣＰＵ１４に送出するようにしている。
【００１５】
ＣＰＵ１４には、上述したキー入力部２とメッセージ表示部３ａ、スピーカ３ｄの他に、バイブレータ１６、ＬＥＤ１７、ＲＯＭ１８、ＲＡＭ１９、音声情報ＲＯＭ２０を接続している。
【００１６】
スピーカ３ｄは、ＣＰＵ１４の制御の下で、このＣＰＵ１４から出力された後にＤ／Ａ変換器２１でアナログ化された音声データあるいはＣＰＵ１４から直接送出される鳴音データをドライバ（図では「ＤＶ」と示す）２２を介して拡声出力することで予め用意された効果音あるいは呼出し音を報知するものである。
【００１７】
同様にバイブレータ１６はドライバ２３を介してＣＰＵ１４からの信号により呼出し状態を振動で、ＬＥＤ１８はドライバ２４を介してＣＰＵ１４からの信号により呼出し状態を光の点滅により出力するようにしている。
【００１８】
ＲＯＭ１８は、ＣＰＵ１４のために予め用意された制御プログラムを記憶するとともに、定型句テーブル、感情メッセージテーブルなどを記憶している。
ここで定型句テーブルは、図３に示すようにメッセージデータの着信時にこのデータ中に定型句指定データが含まれていた際にその直後に続く定型句番号（Ｎｏ．）に従ってメッセージ表示部３ａに表示される定型句メッセージの表示内容とをこの定型句番号に対応付けて記憶したもので、例えば、定型句番号「０１」で定型句メッセージ「キンキュウ」が得られ、定型句番号「０２」で定型句メッセージ「ＴＥＬセヨ」が得られるようになっている。
【００１９】
また感情メッセージテーブルは、図４に示すようにメッセージデータの着信時にこのデータ中に定型句指定データが含まれていた際にその直後に続く特定の定型句番号に対応してメッセージ表示部３ａに繰返して切換表示される表情パターンの各イラストデータを、イラスト番号（Ｎｏ．）に対応付けて記憶したもので、例えばイラスト番号「２１」を指定すれば、これに対応する表情パターンのイラストデータが得られるようにしている。
【００２０】
音声情報ＲＯＭ２０は、図５に示すように、着信メッセージ表示の際に、感情メッセージの切換表示と同時にスピーカ３ｄより放音出力される音声情報、詳細には爆発音や環境音等の効果音情報をデジタル化し、この音声情報が例えば爆発音、衝突音、チャイム、クラクション等の突発的なものであるか、あるいは例えばサイレン、オルゴール、楽音情報等の比較的継続して出力されるものであるかによって、出力形態を区分して記憶するもので、ここでは上記突発的な音声情報に対応した出力形態を区分するための番号を「１」とし、上記比較的継続した同番号を「２」として記憶している。
【００２１】
ＲＡＭ１９は、図６に示すメモリマップの通り、後述する動画パターンを記憶する動画パターン記憶エリアＤＭと、着信したメッセージデータを記憶するメッセージ記憶エリアＭＭとで構成される。
【００２２】
動画パターン記憶エリアＤＭは、図７に示すように特定の定型句番号に対応して３パターンのイラストをａ，ｂ，ｃの順で繰返し切換表示させるための、３つのイラスト番号を格納する他、この動画表示の際に音声情報の出力が指定されているか否かを判断するためのフラグと、上記音声情報ＲＯＭ２０から特定の音声情報を読出すための音声情報ＲＯＭ２０のアドレス番号と、ａ，ｂ，ｃの３パターンのどのイラストが表示されるタイミングで読出した音声情報を出力するかを指定する出力タイミング情報とをそれぞれ記憶している。
【００２３】
次にページング受信機１が図示されない送信基地局より送信される無線信号を受信した場合におけるＣＰＵ１４の制御動作について図８に示すフローチャートに沿って説明する。
【００２４】
表示部３の電源投入スイッチ３ｂを操作することで電源投入されると、受信モードが設定され、ＲＦ受信部１２を駆動せしめる。
まず、間欠的な着信待ちの状態（ステップＳ１）より、アンテナ１１を介してＲＦ受信部１２で受信し、デコーダ部１３で復調された受信信号に含まれる呼出信号をＩＤ−ＲＯＭ１５から与えられる当該ペ−ジング受信機１に個別に割当てられたＩＤコードで照合し、これらが一致した場合のみ、デコーダ部１３より送出される呼出信号着信にともなう一致信号をＣＰＵ１４が検出したか否かを判断する（ステップＳ２）。
【００２５】
検出した場合ＣＰＵ１４は、デコーダ部１３に対して受信信号を継続して受信するように指示し、呼出信号の後に続くデータを取込んでＲＡＭ１９のメッセージ記憶メモリエリアＭＭに格納した後（ステップＳ３）、取込んだ内容にメッセージデータが付いているか否かを判断する（ステップＳ４）。
【００２６】
ここで、メッセージデータが続いていないと判断した場合は、呼出信号着信に伴なう着信報知のみを行なう（ステップＳ１０）。図１２は、呼出信号に伴なう着信報知のみを行なう場合の表示例を示している。
【００２７】
一方、上記ステップＳ４で呼出信号の後にメッセージデータが続くと判断した場合は、取込んだメッセージデータに動画パターン表示指定があるのか否か、例えば先頭に定型句指定データ、例えば「＊４＊４」と定型句番号とがあり、さらにこの定型句番号に対応してＲＡＭ１９の動画パターン記憶エリアＤＭにイラスト番号が３つ記憶されているか否か判断する（ステップＳ５）。
【００２８】
ここで動画パターン表示指定がないと判断した場合には、まず着信報知を行ない、一定時間経過後にこの着信報知をリセットしてから、受信したメッセージデータ、例えば定型句番号に基づく定型句のメッセージを上記図３に示した如くＲＯＭ１８から読出してメッセージ表示部３ａに表示する。
【００２９】
図１１は動画パターンの表示指定がない場合の定型句メッセージのみによる表示を例示するもので、定型句番号「１１」に対応してメッセージ表示部３ａで定型句メッセージ「スグニイク」を表示している。
【００３０】
一方、上記ステップＳ５で動画パターンの表示指定、例えば着信した定型句番号に対応してＲＡＭ１９の動画パターン記憶エリアＭＭにイラスト番号が３つ記憶されていると判断した場合は、このＲＡＭ１９の動画パターン記憶エリアＤＭの当該定型句番号に対応するフラグが“１”となっているか否かにより音声情報を出力するか否か判断する（ステップＳ６）。
【００３１】
ここでフラグが“１”ではなく“０”となっており、音声情報を出力しないと判断した場合には、着信報知を行ない、一定時間経過後にこの着信報知をリセットしてから、受信したメッセージデータに基づく定型句によるメッセージを上記図３に示した如くＲＯＭ１８から読出してメッセージ表示部３ａに表示すると同時に、当該定型句番号に対応するイラスト番号を動画パターン記憶エリアＤＭから読出し、読出したイラスト番号により図４に示した動画パターン記憶エリアＤＭのイラストデータを参照してメッセージ表示部３ａで順次切換表示を繰返し実行する（ステップＳ８）。
【００３２】
図１０は音声情報を出力しない場合のメッセージ表示部３ａでのメッセージ表示状態を例示するものである。この場合、受信したメッセージデータの定型句番号が「０２」であり、対応するメッセージ「ＴＥＬセヨ」をＲＯＭ１８から読出してメッセージ表示部３ａに表示すると同時に、動画パターン記憶エリアＤＭから対応する３つのイラスト番号「２３」「２１」「２４」を読出し、読出したイラスト番号によりイラストデータを参照してメッセージ表示部３ａで図１０（ａ）→図１０（ｂ）→図１０（ｃ）→図１０（ａ）→図１０（ｂ）→‥‥というように順次切換表示を繰返し実行する。
【００３３】
一方、上記ステップＳ６で当該定型句番号に対応するフラグが“１”となっており、音声情報を出力すると判断した場合には、上記ステップＳ８の処理と同様に着信報知を行ない、一定時間経過後にこの着信報知をリセットしてから、受信したメッセージデータに基づく定型句メッセージをＲＯＭ１８から読出してメッセージ表示部３ａに表示すると共に当該定型句番号に対応するイラスト番号を動画パターン記憶エリアＤＭから読出し、読出したイラスト番号により図４に示した動画パターン記憶エリアＤＭのイラストデータを参照してメッセージ表示部３ａでａ，ｂ，ｃの順に順次切換表示を繰返し実行すると同時に、さらに同動画パターン記憶エリアＤＭの当該出力タイミングのデータに合わせて音声情報ＲＯＭ２０から該当するアドレスの音声情報を読出し、Ｄ／Ａ変換器２１でアナログ化してスピーカ３ｄより放音出力させる（ステップＳ７）。
【００３４】
図９は音声情報を出力する場合のメッセージ表示部３ａでのメッセージ表示状態を例示するものである。この場合、受信したメッセージデータの定型句番号が「１８」であり、対応するメッセージ「ＯＫデス」をＲＯＭ１８から読出してメッセージ表示部３ａに表示すると同時に、動画パターン記憶エリアＤＭから定型句番号「１８」に対応する３つのイラスト番号「２２」「２５」「２６」を読出し、読出したイラスト番号によりイラストデータを参照してメッセージ表示部３ａで図９（ａ）→図９（ｂ）→図９（ｃ）→図９（ａ）→図９（ｂ）→‥‥というように順次切換表示を繰返し実行する。
【００３５】
さらに、上記図９（ｃ）に示す表示タイミングでは、同時に上記動画パターン記憶エリアＤＭから読出した音声情報ＲＯＭアドレス「０４」により音声情報ＲＯＭ２０から当該アドレス位置に記憶されている「音声情報＃４」を読出し、同じく上記動画パターン記憶エリアＤＭから読出した出力タイミング「ｃ」に合わせてＤ／Ａ変換器２１でアナログ化してイラスト番号「２６」が表示された際にスピーカ３ｄより放音出力させる。
【００３６】
この場合、音声情報ＲＯＭ２０から読出した音声情報の出力形態が「１」であるので、該音声情報は突発的なものとして動画パターン記憶エリアＤＭから読出した出力タイミングに合わせてその出力タイミングでのみ音声出力するようにしたが、音声情報ＲＯＭ２０から読出した音声情報の出力形態が「２」すなわち該音声情報が継続的なものであり、且つ動画パターン記憶エリアＤＭに特定の出力タイミングが指定されている場合には、上記音声情報に基づいて音声を継続的に出力すると共に、指定された出力タイミングでは特に音量を上げるように制御する。
【００３７】
しかるに、上記ステップＳ７〜Ｓ１０のいずれかの受信処理を実行し、リセットスイッチ３ｃの操作等により着信報知を確認する操作がなされて処理を終了した後は、再び上記ステップＳ１からの処理に戻り、次の着信を待機する。
【００３８】
なお、例えば図１３で示すメッセージ表示部３ａ中のシンボルマークＳＢをセグメントとして設け、上記音声情報の出力タイミングに合わせて表示させることでさらに感情メッセージの表示に変化を持たせてもよい。
【００３９】
また、上記実施例では表示部３のメッセージ表示部３ａを液晶表示パネルで構成するものとして説明したが、その液晶表示パネル全面に組合わせて例えばＥＬによるバックライトを設け、図１４中にハッチングで示すように上記音声情報の出力タイミングに合わせてバックライトを点灯させることで、さらにメッセージの表示に変化を持たせるようにしてもよい。
【００４０】
さらに、伝送データの形態は上記実施例に限定されるものではなく、定型句指定データの他にイラスト指定データを設け、このデータの後に複数のイラスト番号と音声情報のアドレス番号とを同時に伝送するようにしてもよく、またキー入力部２の所定のキー操作によってＲＡＭ１９の記憶内容を変更、更新させることができるようにしてもよい。
【００４１】
さらにまた、音声情報を着信報知に用いてもよい。
なお、本発明は、上記実施例にのみ限定されず、要旨を変更しない範囲で適宜変形して実施できる。例えば、上述した実施例では、イラストパターンとして似顔絵パターンを用いたが、イラストパターンとして、人相の状態に限らず、他の生命体、物体などの状態を模写したものを使用しても良い。
【００４２】
また、本発明は、公衆回線を利用したページング受信機に限らず、無線通信機能を有する各種タイプの受信装置に適用される。つまり、公衆回線を利用しない構内ページング受信機や赤外線などで通信する通信機能付き玩具また通信機能を有するパーソナルコンピュータ、電子手帳、その他の電子計算処理装置にも本発明は適用できるものである。
【００４３】
【発明の効果】
以上詳述した如く本発明によれば、動画表示のみならず動画表示に対応して設定された出力タイミングに基づいて音声情報を出力することで、送信側の気持ちを充分に伝えることができる表現力に富んだメッセージを受取ることが可能な受信装置及び着信報知方法を提供することができる。
【図面の簡単な説明】
【図１】本発明の一実施例に係るページング受信機の外観構成を示す斜視図。
【図２】同実施例に係る回路構成を示すブロック図。
【図３】図２のＲＯＭに格納される定型文テーブルの一例を示す図。
【図４】図２のＲＯＭに格納される感情メッセージテーブルの一例を示す図。
【図５】図２の音声情報ＲＯＭの構成を例示する図。
【図６】図２のＲＡＭのメモリ構成を例示する図。
【図７】図２のＲＡＭ内の動画パターン記憶エリアの記憶内容を例示する図。
【図８】同実施例に係るＣＰＵの制御動作を説明するフローチャート。
【図９】同実施例に係る動作表示例を示す図。
【図１０】同実施例に係る動作表示例を示す図。
【図１１】同実施例に係る動作表示例を示す図。
【図１２】同実施例に係る動作表示例を示す図。
【図１３】同実施例に係る他の動作表示例を示す図。
【図１４】同実施例に係る他の動作表示例を示す図。
【符号の説明】
１…ページング受信機
２…キー入力部
３…表示部
３ａ…メッセージ表示部
３ｄ…スピーカ
１１…アンテナ
１２…ＲＦ受信部
１３…デコーダ部
１４…ＣＰＵ
１５…ＩＤ−ＲＯＭ
１６…バイブレータ（Ｍ）
１７…ＬＥＤ
１８…ＲＯＭ
１９…ＲＡＭ
２０…音声情報ＲＯＭ
２１…Ｄ／Ａ変換器
２２〜２４…ドライバ（ＤＶ）
【図１】
0003543163.tif 000002
【図２】
0003543163.tif 000003
【図３】
0003543163.tif 000004
【図４】
0003543163.tif 000005
【図５】
0003543163.tif 000006
【図６】
0003543163.tif 000007
【図７】
0003543163.tif 000008
【図８】
0003543163.tif 000009
【図９】
0003543163.tif 000010
【図１０】
0003543163.tif 000011
【図１１】
0003543163.tif 000012
【図１２】
0003543163.tif 000013
【図１３】
0003543163.tif 000014
【図１４】
0003543163.tif 000015